(57)【要約】【課題】製造コストの低減化を図りながら、分配ヘッダから冷媒管の冷媒通路に流入する冷媒の均一化を図ることができる熱交換器を提供すること。【解決手段】一端部に形成された流入口２４１１を通じて流入した冷媒を、他端部に向けて水平方向に沿って通過させる分配流路２４１２が内部に形成された分配ヘッダ２４１と、それぞれが上下方向に沿って延在する冷媒通路２４３１を有してなり、分配ヘッダ２４１の一端部から他端部に向けて所定の間隔毎に上端開口２４３１ａが分配流路２４１２を臨む態様で分配ヘッダ２４１の下部から挿入されて取り付けられた複数の冷媒管２４３とを備えた蒸発器２４において、冷媒管２４３は、分配ヘッダ２４１に対する挿入量が一端部からの配列順に従って漸次大きくなる態様で取り付けたものである。【選択図】図５
2011127794.tif 000002
【特許請求の範囲】
【請求項１】
一端部に形成された流入口を通じて流入した冷媒を、閉塞された他端部に向けて水平方向に沿って通過させる分配流路が内部に形成された分配ヘッダと、
それぞれが上下方向に沿って延在する冷媒通路を有してなり、前記分配ヘッダの一端部から他端部に向けて所定の間隔毎にそれぞれの冷媒通路の入口となる上端開口が前記分配流路を臨む態様で前記分配ヘッダの下部から挿入されて取り付けられた複数の冷媒管と
を備え、前記分配ヘッダから各冷媒管の冷媒通路に冷媒を分配して前記冷媒通路を通過する冷媒と、自身の周囲を通過する流体との熱交換を行う熱交換器において、
前記冷媒管は、前記分配ヘッダに対する挿入量が前記一端部からの配列順に従って漸次大きくなる態様で取り付けたことを特徴とする熱交換器。
【請求項２】
前記冷媒管は、複数の冷媒通路が並設されてなり、かつ扁平状をなすことを特徴とする請求項１に記載の熱交換器。
【発明の詳細な説明】
【技術分野】
【０００１】
本発明は、熱交換器に関し、より詳細には、自動販売機等において商品を冷却等するのに用いられる冷凍サイクルを構成する蒸発器等の熱交換器に関するものである。
【背景技術】
【０００２】
従来、例えば缶入り飲料やペットボトル入り飲料等の商品を販売する自動販売機では、自動販売機本体である本体キャビネットの商品収容庫の内部（庫内）に冷凍サイクルの構成機器である蒸発器等の熱交換器が設けられている。
【０００３】
この種の熱交換器として、分配ヘッダと、複数の冷媒管と、合流ヘッダとを備えてなるものが知られている。分配ヘッダは、一端部に冷媒の流入口となる開口が形成され、他端部が閉塞されてなるもので、水平方向に沿って配設されている。この分配ヘッダの内部には、一端部から他端部に向けて水平方向に沿って冷媒を通過させる分配流路が形成されている。冷媒管は、扁平状をなしており、冷媒の流路となる冷媒通路が複数並設されてなるものである。これら冷媒管は、自身の冷媒通路が上下方向に沿って延在するとともに、冷媒の入口となる上端開口が上記分配流路を臨む態様で、分配ヘッダの下部において一端部から他端部に向けて所定の間隔毎に取り付けられている。つまり、これら冷媒管は、それぞれの冷媒通路の上端開口が分配流路を臨む態様で分配ヘッダの下部から挿入して取り付けられている。合流ヘッダは、上記分配ヘッダと平行となる態様で配設されている。この合流ヘッダは、一端部に冷媒の流出口となる開口が形成され、他端部が閉塞されてなるものである。この合流ヘッダの内部には、水平方向に沿って冷媒を通過させる合流流路が形成されている。そして、合流ヘッダの上部には、自身の合流流路に各冷媒管の冷媒通路の出口となる下端開口が臨む態様で冷媒管が取り付けられている。
【０００４】
このような熱交換器においては、分配ヘッダから各冷媒管の冷媒通路に冷媒を分配して冷媒通路を通過する冷媒と、自身の周囲を通過する流体との熱交換を行うようにしており、冷媒通路を通過した冷媒は、合流ヘッダの合流流路に至り、かかる合流流路を通過して流出口より流出する。
【０００５】
そして、それぞれの冷媒管の冷媒通路に均一に冷媒が流れるよう、冷媒管の分配ヘッダに対する挿入量が一端部からの配列順に従って漸次小さくなるようにし、かつ該冷媒管の管壁に液抜孔を形成してなる熱交換器が提案されている（例えば、特許文献１参照）。
【先行技術文献】
【特許文献】
【０００６】
【特許文献１】特開平１０−１３２４２２号公報
【発明の概要】
【発明が解決しようとする課題】
【０００７】
ところで、上述したような特許文献１に提案されている熱交換器においては、冷媒管の管壁に液抜孔を形成してなるものであるため、分配ヘッダに対する冷媒管の挿入量に応じて液抜孔の位置を調整する必要がある。そのため、冷媒管毎に液抜孔の位置が異なるため、共通の冷媒管を用いることができず、製造コストの増大化を招来していた。
【０００８】
本発明は、上記実情に鑑みて、製造コストの低減化を図りながら、分配ヘッダから冷媒管の冷媒通路に流入する冷媒の均一化を図ることができる熱交換器を提供することを目的とする。
【課題を解決するための手段】
【０００９】
上記目的を達成するために、本発明の請求項１に係る熱交換器は、一端部に形成された流入口を通じて流入した冷媒を、閉塞された他端部に向けて水平方向に沿って通過させる分配流路が内部に形成された分配ヘッダと、それぞれが上下方向に沿って延在する冷媒通路を有してなり、前記分配ヘッダの一端部から他端部に向けて所定の間隔毎にそれぞれの冷媒通路の入口となる上端開口が前記分配流路を臨む態様で前記分配ヘッダの下部から挿入されて取り付けられた複数の冷媒管とを備え、前記分配ヘッダから各冷媒管の冷媒通路に冷媒を分配して前記冷媒通路を通過する冷媒と、自身の周囲を通過する流体との熱交換を行う熱交換器において、前記冷媒管は、前記分配ヘッダに対する挿入量が前記一端部からの配列順に従って漸次大きくなる態様で取り付けたことを特徴とする。
【００１０】
また、本発明の請求項２に係る熱交換器は、上述した請求項１において、前記冷媒管は、複数の冷媒通路が並設されてなり、かつ扁平状をなすことを特徴とする。
【発明の効果】
【００１１】
本発明によれば、冷媒管の分配ヘッダに対する挿入量が一端部からの配列順に従って漸次大きくなる態様で取り付けてあるので、冷媒管の冷媒通路の上端開口が一端部からの配列順に従って漸次高くなっており、これにより流入口より流入して分配流路を通過する冷媒（気液二相冷媒）を冷媒管で順次せき止めることで、分離される液相冷媒の流速を低下させることができ、しかも液相冷媒の液面高さを高くすることができる。よって、上端開口が相対的に低い流入口近傍の冷媒管の冷媒通路に対して液相冷媒の流入を促進することができ、これにより分配ヘッダから冷媒管の冷媒通路に流入する冷媒の均一化を図ることができる。しかも延在長さが等しい冷媒管を適用することができるので、共通の冷媒管を用いることができ、製造コストを低減させることができる。従って、製造コストの低減化を図りながら、分配ヘッダから冷媒管の冷媒通路に流入する冷媒の均一化を図ることができるという効果を奏する。
【図面の簡単な説明】
【００１２】
【図１】図１は、本発明の実施の形態である熱交換器が蒸発器として適用された自動販売機の内部構造を正面から見た場合を示す断面図である。
【図２】図２は、図１に示した自動販売機の内部構造を示す断面側面図である。
【図３】図３は、図２に示した蒸発器（本発明の実施の形態である熱交換器）を模式的に示す説明図である。
【図４】図４は、図３に示した冷媒管を上方から見た場合を模式的に示す説明図である。
【図５】図５は、図３に示した蒸発器の要部を拡大して示すもので、図３の破線で囲まれた部分を拡大して示す説明図である。
【図６】図６は、図３に示した蒸発器の要部を拡大して示す拡大断面側面図である。
【図７】図７は、従来の熱交換器の要部を模式的に示す説明図である。
【図８】図８は、図７に示した熱交換器における冷媒管と、各冷媒管を通過する冷媒流量との関係を示す図表である。
【図９】図９は、図７に示した分配ヘッダの分配流路における冷媒の相関系を模式的に示す説明図である。
【図１０】図１０は、本実施の形態の熱交換器の要部を模式的に示す説明図である。
【図１１】図１１は、図１０に示した熱交換器における冷媒管と、各冷媒管を通過する冷媒流量との関係を示す図表である。
【図１２】図１２は、図１０に示した分配ヘッダの分配流路における冷媒の相関系を模式的に示す説明図である。
【発明を実施するための形態】
【００１３】
以下に添付図面を参照して、本発明に係る熱交換器の好適な実施の形態について詳細に説明する。
【００１４】
図１は、本発明の実施の形態である熱交換器が蒸発器として適用された自動販売機の内部構造を正面から見た場合を示す断面図である。ここで例示する自動販売機は、本体キャビネット１を備えている。
【００１５】
本体キャビネット１は、前面が開口した直方状の形態を成すものである。この本体キャビネット１には、その内部に例えば２つの断熱仕切板２によって仕切られた３つの独立した商品収容庫３が左右に並んだ態様で設けてある。この商品収容庫３は、缶入り飲料やペットボトル入り飲料等の商品を所望の温度に維持した状態で収容するためのもので、断熱構造を有している。
【００１６】
図２は、図１に示した自動販売機の内部構造を示す断面側面図である。かかる図２に示すように、本体キャビネット１の前面には、外扉４及び内扉５が設けてある。外扉４は、本体キャビネット１の前面開口を開閉するためのものであり、内扉５は、商品収容庫３の前面を開閉するためのものである。この内扉５は、上下に分割してあり、上側の扉５ａは商品を補充する際に開閉するものである。
【００１７】
上記商品収容庫３には、商品収納ラック６、搬出機構７及び搬出シュータ８が設けてある。商品収納ラック６は、商品を上下方向に沿って並ぶ態様で収納するためのものである。搬出機構７は、商品収納ラック６の下部に設けてあり、この商品収納ラック６に収納された商品群の最下位にある商品を１つずつ搬出するためのものである。搬出シュータ８は、搬出機構７から搬出された商品を外扉４に設けられた商品取出口４ａに導くためのものである。
【００１８】
そして搬出シュータ８の下方域には蒸発器２４及びヒータＨが配設してある。蒸発器２４は背面ダクトＤの前面側に配設してあり、機械室９に配設された圧縮機２１、凝縮器２２、膨張機構２３と冷媒配管２５を通じて順次接続されて冷凍サイクル２０を形成している。圧縮機２１は、吸引口を通じて冷媒を吸引し、吸引した冷媒を圧縮して高温高圧の状態（高温高圧冷媒）にして吐出口より吐出するものである。凝縮器２２は、通過する冷媒を凝縮させるものである。より詳細に説明すると、圧縮機２１で圧縮され、かつ吐出口から吐出されて冷媒配管２５を通じて送出された冷媒を周囲空気と熱交換させて凝縮させるものである。膨張機構２３は、通過する冷媒を減圧して断熱膨張させるものである。
【００１９】
これら冷凍サイクル２０で冷媒を循環させることにより、圧縮機２１で圧縮された冷媒が凝縮器２２で凝縮され、その後に膨張機構２３で断熱膨張されて蒸発器２４を通過する。冷媒が蒸発器２４を通過する際に、該蒸発器２４が配設された商品収容庫３の内部空気との間で熱交換が行われて、自身が蒸発して内部空気を冷却する。蒸発した冷媒は圧縮機２１に吸引される。
【００２０】
冷却された内部空気は庫内送風ファンＦ１の駆動により商品収容庫３の内部を移動し、これにより該商品収容庫３の商品収納ラック６に収納された商品は所望の温度（例えば５℃）に冷却されることになる。
【００２１】
ヒータＨは、蒸発器２４の前面側に配設してある。このヒータＨは通電状態となることにより周囲空気を加熱するものである。ヒータＨにより加熱された空気は、庫内送風ファンＦ１の駆動により商品収容庫３の内部を移動し、これにより該商品収容庫３の商品収納ラック６に収納された商品は所望の温度（例えば５５℃）に加熱されることになる。
【００２２】
図３は、図２に示した蒸発器（本発明の実施の形態である熱交換器）を模式的に示す説明図である。ここで例示する蒸発器２４は、いわゆるマルチフロー型の熱交換器であり、分配ヘッダ２４１と、合流ヘッダ２４２と、複数の冷媒管２４３とを備えて構成してある。
【００２３】
分配ヘッダ２４１は、水平方向に沿って配設されている。この分配ヘッダ２４１の一端部には、冷媒の流入口２４１１が形成されており、他端部は閉塞されている。かかる流入口２４１１は、膨張機構２３の出口に連結された冷媒配管２５が連結している。この分配ヘッダ２４１の内部には、一端部から他端部に向けて流入口２４１１より流入した冷媒を水平方向に沿って通過させる分配流路２４１２が形成してある。
【００２４】
合流ヘッダ２４２は、上記分配ヘッダ２４１の下方域において、該分配ヘッダ２４１と平行となる態様で水平方向に沿って配設してある。この合流ヘッダ２４２の一端部には、冷媒の流出口２４２１が形成されており、他端部は閉塞されている。かかる流出口２４２１は、圧縮機２１の吸引口に連結された冷媒配管２５が連結している。この合流ヘッダ２４２の内部には、一端部から他端部に向けて水平方向に沿って合流流路２４２２が形成してある。
【００２５】
図４は、図３に示した冷媒管を上方から見た場合を模式的に示す説明図である。この図４にも示すように、冷媒管２４３は、扁平状をなしている。このような冷媒管２４３は、冷媒の流路となる複数の冷媒通路２４３１が上下方向に沿って延在する態様で並設されてなるもので扁平多穴管と称されるものである。それぞれの冷媒管２４３における冷媒通路２４３１の上端開口２４３１ａ（図５及び図６参照）が冷媒の入口となるとともに、下端開口２４３１ｂ（図５及び図６参照）が冷媒の出口となっている。
【００２６】
これら冷媒管２４３は、分配ヘッダ２４１の下部及び合流ヘッダ２４２の上部において一端部から他端部に向けて所定の間隔毎に平行に取り付けてある。より詳細に説明すると、これら冷媒管２４３は、自身の冷媒通路２４３１における上端開口２４３１ａが分配ヘッダ２４１の分配流路２４１２を臨む態様で分配ヘッダ２４１の下部から挿入して取り付けてあるとともに、自身の冷媒通路２４３１における下端開口２４３１ｂが合流ヘッダ２４２の合流流路２４２２を臨む態様で合流ヘッダ２４２の上部から挿入して取り付けてある。
【００２７】
また、これら冷媒管２４３の外表面には、フィン２４４が配設してある。フィン２４４は、冷媒管２４３の冷媒通路２４３１を通過する冷媒と、蒸発器２４の周囲の空気（流体）との熱交換を促進させるためのものである。
【００２８】
図５及び図６は、図３に示した蒸発器の要部を拡大して示すものであり、図５は、図３の破線で囲まれた部分を拡大して示す説明図であり、図６は、拡大断面側面図である。これら図５及び図６に示すように、分配ヘッダ２４１と合流ヘッダ２４２との間に取り付けられる冷媒管２４３は、上下方向の長さがいずれも等しいものであり、分配ヘッダ２４１に対する挿入量が一端部（流入口２４１１）からの配列順に従って漸次大きくなるように取り付けてある一方、合流ヘッダ２４２に対する挿入量が一端部からの配列順に従って漸次小さくなるように取り付けてある。つまり、分配ヘッダ２４１の流入口２４１１からの配列順に従って、冷媒管２４３における冷媒通路２４３１の上端開口２４３１ａが漸次高くなっている。
【００２９】
以上のような構成を有する蒸発器２４においては、膨張機構２３で断熱膨張した冷媒が流入口２４１１を通じて分配流路２４１２に流入し、一端部から他端部に向けて当該分配流路２４１２を通過しながら上端開口（入口）２４３１ａから冷媒管２４３の冷媒通路２４３１に進入する。つまり、分配ヘッダ２４１から各冷媒管２４３の冷媒通路２４３１に冷媒を分配する。冷媒通路２４３１に進入した冷媒は、下方に向けて通過しながら、蒸発器２４が配設された商品収容庫３の内部空気と熱交換を行って蒸発し、これにより内部空気は冷却される。冷却された内部空気は、庫内送風ファンＦ１の駆動により商品収容庫３の内部を循環し、商品収納ラック６に収納された商品を冷却して所望の温度に調整することとなる。
【００３０】
一方、冷媒通路２４３１を通過して蒸発した冷媒は、下端開口（出口）２４３１ｂから合流ヘッダ２４２の合流流路２４２２に至り、流出口２４２１を通じて冷媒配管２５に流出され、圧縮機２１に吸引されて圧縮される。
【００３１】
ところで、上記蒸発器２４においては、冷媒管２４３は、分配ヘッダ２４１に対する挿入量が一端部からの配列順に従って漸次大きくなるように取り付けてあることから、冷媒管２４３の冷媒通路２４３１の上端開口２４３１ａが一端部からの配列順に従って漸次高くなっており、これにより流入口２４１１より流入して分配流路２４１２を通過する冷媒（気液二相冷媒）を冷媒管２４３で順次せき止めることで、分離される液相冷媒の流速を低下させることができ、しかも液相冷媒の液面高さを高くすることができる。よって、上端開口２４３１ａが相対的に低い流入口２４１１近傍の冷媒管２４３の冷媒通路２４３１に対して液相冷媒の流入を促進することができ、これにより分配ヘッダ２４１から冷媒管２４３の冷媒通路２４３１に流入する冷媒の均一化を図ることができる。しかも延在長さが等しい冷媒管２４３を適用することができるので、共通の冷媒管２４３を用いることができ、製造コストを低減させることができる。従って、製造コストの低減化を図りながら、分配ヘッダ２４１から冷媒管２４３の冷媒通路２４３１に流入する冷媒の均一化を図ることができる。
【００３２】
このように分配ヘッダ２４１から冷媒管２４３の冷媒通路２４３１に流入する冷媒の均一化を図ることができるので、熱交換量の増大化を図ることができる。
【００３３】
以下において、従来例との数値解析結果を比較しながら本実施の形態である熱交換器の優位性について説明する。
【００３４】
図７は、従来の熱交換器を示すもので、分配ヘッダ３４１に対する冷媒管３４３の挿入量を等しくしている。このような熱交換器において膨張機構で断熱膨張した冷媒（イ：気液二相冷媒）を流入口３４１１から分配ヘッダ３４１の分配流路３４１２に流入させると、該流入口３４１１の近くでは流速が大きいために、分配流路３４１２の内壁面の粘性抵抗により分離される液相冷媒（ロ）の液面高さも低く、流入口３４１１に近接する冷媒管３４３の冷媒通路２４３１に流入する冷媒が少なくなってしまう（図８及び図９参照）。
【００３５】
一方、図１０に示すように、分配ヘッダ２４１に対する挿入量が流入口２４１１からの配列順に従って漸次大きくなるように冷媒管２４３を取り付けてある熱交換器（本発明の熱交換器）においては、膨張機構２３で断熱膨張した冷媒（イ：気液二相冷媒）を流入口２４１１から分配ヘッダ２４１の分配流路２４１２に流入させると、冷媒管２４３で順次せき止めることで、分離される液相冷媒（ロ）の流速を低下させることができ、しかも液相冷媒（ロ）の液面高さを高くすることができる。流入口２４１１に近接する冷媒管２４３の冷媒通路２４３１への冷媒の流入を促進することができ、結果的に分配ヘッダ２４１から冷媒管２４３の冷媒通路２４３１に流入する冷媒の均一化を図ることができる（図１１及び図１２参照）。
【産業上の利用可能性】
【００３６】
以上のように、本発明に係る熱交換器は、自動販売機等において商品を冷却等するのに用いられる冷凍サイクルを構成する蒸発器に有用である。
【符号の説明】
【００３７】
１  本体キャビネット
３  商品収容庫
２０  冷凍サイクル
２１  圧縮機
２２  凝縮器
２３  膨張機構
２４  蒸発器
２４１  分配ヘッダ
２４１１  流入口
２４１２  分配流路
２４２  合流ヘッダ
２４２１  流出口
２４２２  合流流路
２４３  冷媒管
２４３１  冷媒通路
２４３１ａ  上端開口
２４３１ｂ  下端開口
２４４  フィン
２５  冷媒配管
Ｆ１  庫内送風ファン
Ｈ  ヒータ
【図１】
2011127794.tif 000003
【図２】
2011127794.tif 000004
【図３】
2011127794.tif 000005
【図４】
2011127794.tif 000006
【図５】
2011127794.tif 000007
【図６】
2011127794.tif 000008
【図７】
2011127794.tif 000009
【図８】
2011127794.tif 000010
【図９】
2011127794.tif 000011
【図１０】
2011127794.tif 000012
【図１１】
2011127794.tif 000013
【図１２】
2011127794.tif 000014